(57)【要約】【課題】放送信号、及び信号処理されたデータが外部の装置へ与えられず、特定の人に対し容易に確実に視聴制限を行うことができる放送信号処理装置を提供する。【解決手段】分配部２のＭＣＵ２０１は、Ｂ−ＣＡＳカード挿入部へのＢ−ＣＡＳカードの挿入の有無を示す挿入有無信号を挿入有無信号入力端子２５から入力される。ＭＣＵ２０１は、Ｂ−ＣＡＳカードが挿入されていないと判定した場合、出力端子２０１ｂからＨレベルの制御電圧Ｖａを出力し、トランジスタＴｒをオフする。これにより、増幅器ＡＭＰ、分配器２０２等からなる分配回路は入力端子２１及び第２出力端子２３から開放され、入力端子２１から第２出力端子２３へ放送信号を与えることができなくなる。【選択図】図２
2010028673.tif 000002
【特許請求の範囲】
【請求項１】
入力された放送信号を分配手段により複数の出力端子に分配し、該分配手段の一の出力端子から出力された前記放送信号を一の外部出力端子へ与え、他の出力端子から出力された前記放送信号を、認証が得られた場合に信号処理して得られたデータを他の外部出力端子へ与える放送信号処理装置において、
認証が得られていない場合に、前記分配手段への通電を遮断する手段、又は前記分配手段へ入力された放送信号を前記一の出力端子へ与える回路内の通電を遮断する手段を備えることを特徴とする放送信号処理装置。
【請求項２】
前記認証は、Ｂ−ＣＡＳカードを挿入することにより行われることを特徴とする請求項１に記載の放送信号処理装置。
【請求項３】
得られたデータを記録する記録部を備えることを特徴とする請求項１又は２に記載の放送信号処理装置。
【発明の詳細な説明】
【技術分野】
【０００１】
本発明は、入力された放送信号を分配して出力する分配手段の機能を制御する放送信号処理装置に関する。
【背景技術】
【０００２】
アンテナ又は放送ケーブルにより伝送されて受信した放送信号を信号処理し、得られた映像音声を録画するとともに、外部出力端子にアンテナケーブルを介して接続されたテレビ受像機へ放送信号を出力する録画装置が広く用いられている。
このような録画装置においては、受信した放送信号を各選局回路及び外部出力端子に増幅して分配する分配装置が内蔵されている。分配された放送信号が、前記外部出力端子からテレビ受像機の放送信号入力端子へ与えられる。従って、上述したように、ユーザは、録画装置により映像音声を録画するとともに、テレビ受像機により映像音声を視聴することが可能になる。録画装置の中には、主電源がオフにされた場合であっても、テレビ受像機により映像音声を視聴することができるように、分配装置には副電源部から常時電源電圧を印加するように構成されているものがある。
【０００３】
録画装置又はテレビ受像機の中には、録画装置又はテレビ受像機による視聴を制御するために、パスワード設定によるチャイルドロック機能等を有するものがある。これは、例えば子供には好ましくないテレビ番組に制限フラグを付け、このようなテレビ番組を選局した場合にはパスワードを正しく入力しないと映像が表示されないようにするものである。親がパスワードを設定しておけば、子供はそのパスワードを知らないので、子供は前記テレビ番組を視聴することができない。
しかし、パスワードの管理等が煩雑であるため、チャイルドロック機能はあまり利用されていないという問題があった。
【０００４】
ところで、Ｂ−ＣＡＳ方式によるデジタル放送信号は、映像データにコピー制御信号を加えた上で暗号化して送信される。ユーザが視聴する際には、映像データはＢ−ＣＡＳカードに格納されている暗号鍵を用いて復号され、復号された映像データはコピー制御されている。従って、Ｂ−ＣＡＳ方式の限定受信が行われている放送・番組を視聴するためには、所定の会社に認証され、Ｂ−ＣＡＳカードが発行された録画装置及びテレビ受像機等の受信装置（コピー制御対応受信装置）にＢ−ＣＡＳカードを挿入しなければならず、それ以外の手段では視聴できないようにされている。
【０００５】
特許文献１には、受信信号に含まれ、暗号化された共通の鍵及びスクランブル鍵を、受信装置固有の鍵を用いて復号するための、着脱自在のＩＣカード等のメモリ装置を備えるペイテレビ受信装置の発明が開示されている。前記ＩＣカードとして、例えばＢ−ＣＡＳカードが挙げられる。
【特許文献１】特開平２−２０１８８号公報
【発明の開示】
【発明が解決しようとする課題】
【０００６】
上述したように、子供等の特定の人を対象にする視聴制限を行う方法として、前記Ｂ−ＣＡＳカードを受信装置から抜くことが挙げられる。
しかし、例えばＨＤＤ（Hard Disk Drive）レコーダ等の録画装置においてＢ−ＣＡＳカードを抜いた場合、上述の分配装置が動作しているため、テレビ受像機へは放送信号が常時出力され、テレビ受像機において放送信号を復号して視聴することができるという問題があった。
また、テレビ受像機においてＢ−ＣＡＳカードを抜いた場合、録画装置で復号して得られた映像音声データがテレビ受像機へ与えられるので、映像音声を視聴することができるという問題があった。
【０００７】
ＨＤＤレコーダ及びテレビ受像機の両方のＢ−ＣＡＳカードを抜いた場合、視聴制限は実現されるが、２枚のＢ−ＣＡＳカードを管理するのは煩雑であるという問題がある。
さらに、特許文献１のペイテレビ受信装置においては、自機における視聴制限しかできず、該ペイテレビ受信装置に接続された装置において視聴制限を行うことができないという問題があった。
【０００８】
本発明は斯かる事情に鑑みてなされたものであり、分配手段への通電、又は分配手段へ入力された放送信号を一の出力端子へ送る回路内の通電を遮断する手段を備えることにより、放送信号、及び信号処理されたデータが外部の装置へ与えられず、特定の人に対し容易に確実に視聴制限を行うことができる放送信号処理装置を提供することを目的とする。
【課題を解決するための手段】
【０００９】
本発明に係る放送信号処理装置は、入力された放送信号を分配手段により複数の出力端子に分配し、該分配手段の一の出力端子から出力された前記放送信号を一の外部出力端子へ与え、他の出力端子から出力された前記放送信号を、認証が得られた場合に信号処理して得られたデータを他の外部出力端子へ与える放送信号処理装置において、認証が得られていない場合に、前記分配手段への通電を遮断する手段、又は前記分配手段へ入力された放送信号を前記一の出力端子へ与える回路内の通電を遮断する手段を備えることを特徴とする。
【００１０】
本発明においては、認証が得られていない場合に、分配手段への通電、又は前記回路内の通電が遮断されるので、放送信号が外部の表示装置等の装置へ与えられ得ない。また、認証が得られていないので、放送信号処理装置内で放送信号が信号処理されず、信号処理されたデータが放送信号処理装置と接続された外部の装置へ与えられることもない。
従って、両方の装置において放送信号が信号処理されず、特定の人を対象に確実に視聴制限を行うことができる。
【００１１】
本発明に係る放送信号処理装置は、前記認証は、Ｂ−ＣＡＳカードを挿入することにより行われることを特徴とする。
【００１２】
本発明においては、放送信号処理装置からＢ−ＣＡＳカードを抜くのみで、容易に視聴制限を行うことができる。
【００１３】
本発明に係る放送信号処理装置は、得られたデータを記録する記録部を備えることを特徴とする。
【００１４】
本発明においては、放送信号処理装置が、映像音声が記録される録画装置、及び音声が記録される録音装置等である場合に、映像又は音声が記録されず、映像又は音声が外部の装置へライブ出力されることがない。そして、外部の装置へ放送信号も出力されないので、有効に視聴制限が実行される。
【発明の効果】
【００１５】
本発明の放送信号処理装置によれば、分配手段への通電、又は分配手段へ入力された放送信号を一の出力端子へ送る回路内の通電を遮断する手段を備えているので、放送信号、及び信号処理されたデータが外部の装置へ与えられず、特定の人に対し容易に確実に視聴制限を行うことができる。
【発明を実施するための最良の形態】
【００１６】
実施の形態１．
以下、本発明をその実施の形態を示す図面に基づき具体的に説明する。
図１は、本発明の実施の形態１に係る放送信号処理装置としての録画装置の内部構成を示すブロック図である。図中、２は、録画装置に備えられた分配部を示す。
録画装置は、放送信号入力部１、分配部２、復号部３、Ｂ−ＣＡＳカード挿入部４、制御部５、選局部６、録画部７、映像信号外部出力端子８、放送信号外部出力端子９、主電源部１０、及び副電源部１１を備えている。
外部に接続されたアンテナ（図示せず）により受信された放送信号は、放送信号入力部１へ入力される。放送信号としては、映像音声データにコピー制御信号を加えた上で暗号化されたデジタル放送信号等が挙げられる。放送信号入力部１へ入力された放送信号は、分配部２の入力端子２１に与えられる。
分配部２は、入力端子２１に与えられた放送信号を第１出力端子２２（他の出力端子）、及び第２出力端子２３（一の出力端子）に分配する分配回路を備えている。
【００１７】
分配部２の第１出力端子２２から出力される放送信号は、復号部３に与えられる。制御部５は、Ｂ−ＣＡＳカードがＢ−ＣＡＳカード挿入部４に挿入されたことを検知した場合、Ｂ−ＣＡＳカードに格納されているＩＤ番号により認証を行い、格納された暗号鍵を用い、復号部３において復号する。復号された放送信号は、選局部６に与えられ、設定された放送チャンネルに選局されて映像音声信号に変換される。変換された映像音声信号は録画部７、及び映像信号外部出力端子８（他の外部出力端子）に与えられる。録画部７に与えられた映像音声データはＨＤＤ等の記憶装置に録画される。
分配部２の第２出力端子２３から出力された放送信号は、放送信号外部出力端子（一の外部出力端子）９にアンテナケーブルを介して接続されたテレビ受像機へ与えられる。
【００１８】
主電源部１０は、復号部３、制御部５、選局部６、及び録画部７を含む録画装置内部の各ハードウェアに電力を供給する。この主電源部１０のオン／オフ状態は、録画装置が備える図示しない電源スイッチのオン／オフ状態に連動するようにしてある。
副電源部１１は、主電源部１０のオン／オフ状態に関わらず、分配部２の電源端子２４へ常時電源電圧を出力するようにしてある。
【００１９】
制御部５は、Ｂ−ＣＡＳカード挿入部４へのＢ−ＣＡＳカードの挿入の有無を示す挿入有無信号を分配部２の挿入有無信号入力端子２５へ出力するように構成されている。
分配部２は、回路の各部を制御する制御部としてのＭＣＵ（Microcontroller）２０１（図２参照）を備えている。ＭＣＵ２０１は、Ｂ−ＣＡＳカードが挿入されていないという情報を挿入有無信号入力端子２５から与えられた場合、放送信号が入力端子２１から第２出力端子２３へ与えられる回路を、後述するようにして遮断する。すなわち、ＭＣＵ２０１は、録画装置の認証が得られていない場合に、分配部２へ入力された放送信号を第２出力端子２３へ与える回路内の通電を遮断する手段として機能する。
【００２０】
図２は、本発明の実施の形態１に係る分配部２の内部回路を示す回路図である。
分配部２の入力端子２１に入力された放送信号をなす高周波信号は増幅器ＡＭＰに与えられ、増幅器ＡＭＰに設定されている増幅率Ｇにより増幅される。
【００２１】
増幅器ＡＭＰにより増幅された高周波信号は、分配器２０２に与えられ、分配器２０２により第１出力端子２２、及び第２出力端子２３に分配される。分配器２０２から出力された高周波信号は、ダイオードＤのアノードに与えられる。ダイオードＤは、ＰＩＮダイオードで構成された高周波スイッチである。ダイオードＤがオン状態の場合、ダイオードＤに与えられた高周波信号は、コンデンサＣを介して第２出力端子２３に与えられる。
コンデンサＣは、高周波信号に含まれる直流成分によりダイオードＤに逆方向電位が印加されてダイオードＤがオフ状態となることを防止すべく直流成分を遮断するために設けられている。
【００２２】
ＭＣＵ２０１は、入力端子２０１ａ、出力端子２０１ｂ、及び入力端子２０１ｃを備えている。入力端子２０１ａへは、副電源部１１から電源端子２４を介して電源電圧が常時与えられている。
出力端子２０１ｂからは、ＴＴＬ信号からなる制御電圧Ｖａが出力されるように構成されている。出力端子２０１ｂから抵抗Ｒ１を介してトランジスタＴｒのベースに対し、Ｌレベルの制御電圧Ｖａが出力され、トランジスタＴｒがオン状態にされた場合、副電源部１１から電源端子２４、オン状態のトランジスタＴｒのエミッタ‐コレクタ間、抵抗Ｒ２、ダイオードＤ、及び抵抗Ｒ３を介し接地端子に電流が流れ、ダイオードＤを流れる順方向電流により、ダイオードＤがオン状態となる。
【００２３】
そして、オン状態のダイオードＤにより、増幅器ＡＭＰ、分配器２０２等からなる分配回路が入力端子２１及び第２出力端子２３に接続される。前記出力端子２０１ｂからＨレベルの制御電圧Ｖａが出力されてトランジスタＴｒがオフ状態にされた場合、ダイオードＤに順方向電流が流れず、ダイオードＤがオフ状態となる。オフ状態のダイオードＤにより、分配回路が入力端子２１及び第２出力端子２３から開放される。
【００２４】
制御部５から挿入有無信号入力端子２５に与えられた前記挿入有無信号は、ＭＣＵ２０１の入力端子２０１ｃに与えられる。ＭＣＵ２０１は、前記挿入有無信号に基づいてＢ−ＣＡＳカード挿入部４へＢ−ＣＡＳカードが挿入されたか否かの情報を取得する。該情報に基づいて、上述の制御電圧Ｖａの出力が制御される。
【００２５】
図３は、本発明の実施の形態１に係るＭＣＵ２０１の処理手順を示すフローチャートである。
まず、ＭＣＵ２０１は、挿入有無信号入力端子２５から入力した挿入有無信号に基づいて、Ｂ−ＣＡＳカード挿入部４へＢ−ＣＡＳカードが挿入されたか否かを判定する（Ｓ１）。
ＭＣＵ２０１は、Ｂ−ＣＡＳカード挿入部４へＢ−ＣＡＳカードが挿入されたと判定した場合（Ｓ１：ＹＥＳ）、出力端子２０１ｂからＬレベルの制御電圧Ｖａを出力し、トランジスタＴｒをオンする（Ｓ２）。これにより、前記分配回路が入力端子２１及び第２出力端子２３に接続され、入力端子２１から第２出力端子２３へ放送信号が送られる。主電源部１０がオフ状態であっても、副電源部１１により分配部２は常時通電されているので、Ｂ−ＣＡＳカードがＢ−ＣＡＳカード挿入部４へ挿入されている限り、分配部２の入力端子２１へ入力された放送信号は、第２出力端子２３及び放送信号外部出力端子９を介し、テレビ受像機へ与えられる。また、第１出力端子２２から出力され、信号処理して得られた映像音声信号も映像信号外部出力９からテレビ受像機へ与えられる。従って、テレビ受像機において、内部で信号処理して得られた映像音声データ、又は録画装置から得られた映像音声データに基づく映像音声が再生され、ユーザは自由に放送を視聴することができる。
【００２６】
そして、ＭＣＵ２０１は、Ｂ−ＣＡＳカード挿入部４へＢ−ＣＡＳカードが挿入されていないと判定した場合（Ｓ１：ＮＯ）、出力端子２０１ｂからＨレベルの制御電圧Ｖａを出力し、トランジスタＴｒをオフする（Ｓ３）。これにより前記分配回路は入力端子２１及び第２出力端子２３から開放され、入力端子２１から第２出力端子２３へは放送信号が与えられないことになる。
【００２７】
この場合、放送信号が放送信号外部出力端子９を介し外部のテレビ受像機装置へ与えられない。また、Ｂ−ＣＡＳカードがＢ−ＣＡＳカード挿入部４へ挿入されていないので、第１出力端子２２から出力された放送信号は復号できず、映像音声データの録画ができず、該映像音声データのテレビ受像機への出力もできない。よって、Ｂ−ＣＡＳカードを録画装置のＢ−ＣＡＳカード挿入部４から抜くことにより、録画装置及びテレビ受像機の両方の装置において、放送信号が信号処理されず、子供等の特定の人を対象に、容易に確実に視聴制限を行うことができる。
【００２８】
実施の形態２．
図４は、本発明の実施の形態２に係る録画装置の内部構成を示すブロック図である。図中、図１と同一部分は同一符号を付して詳細な説明を省略する。
本実施の形態に係る録画装置においては、電源部３１により、分配部２、復号部３、制御部５、選局部６、及び録画部７を含む録画装置内部の各ハードウェアに電力が供給される。
【００２９】
電源部３１と分配部２との間にはスイッチ３２が介在され、分配部２は、スイッチ３２によって通電がオン／オフされるように構成されている。スイッチ３２は、分配部２の電源端子２４と接続されている。また、分配部２は、実施の形態１に係る録画装置の挿入有無信号入力端子２５を有さず、出力端子２０１ｂ（図２参照）からトランジスタＴｒのベースに対し、常時Ｌレベルの制御電圧Ｖａが出力されている。
制御部５、及びスイッチ３２は、録画装置の認証が得られていない場合に、分配部２への通電を遮断する手段として機能する。
制御部５は、制御部５は、Ｂ−ＣＡＳカードがＢ−ＣＡＳカード挿入部４へ挿入されたことを検知した場合、スイッチ３２をオンする。分配部２が通電されることにより、入力端子２１に入力された放送信号は分配されて、第１出力端子２２及び第２出力端子２３へ与えられる。
【００３０】
この場合、Ｂ−ＣＡＳカードに基づき、復号部３及び選局部６により信号処理して得られた映像音声データが録画部７に録画され、該映像音声データが映像信号外部出力端子８を介しテレビ受像機へ与えられる。また、放送信号が放送信号外部出力端子９を介しテレビ受像機へ与えられる。従って、テレビ受像機により自由に放送を視聴することができる。
【００３１】
制御部５は、Ｂ−ＣＡＳカードがＢ−ＣＡＳカード挿入部４へ挿入されていないと判定した場合、スイッチ３２をオフする。分配部２が通電されていないので、入力端子２１に入力された放送信号を分配して、第１出力端子２２及び第２出力端子２３へ与えることができない。従って、録画装置及びテレビ受像機の両方において、放送を視聴することができない。
よって、本実施の形態においては、Ｂ−ＣＡＳカードを録画装置のＢ−ＣＡＳカード挿入部４から抜くことにより、子供等の特定の人物を対象に容易に確実に視聴制限を行うことができる。
【００３２】
実施の形態３．
図５は、本発明の実施の形態３に係る放送信号処理装置としてのＳＴＢ（Set Top Box）の内部構成を示すブロック図である。図中、図１と同一部分は同一符号を付して詳細な説明を省略する。
【００３３】
ＳＴＢは、放送信号入力部１、分配部２、復号部３、Ｂ−ＣＡＳカード挿入部４、制御部５、選局部６、映像信号外部出力端子８、放送信号外部出力端子９、主電源部１０、及び副電源部１１を備えている。
【００３４】
放送信号入力部１へ入力された放送信号は、分配部２の入力端子２１に与えられ、第１出力端子２２、及び第２出力端子２３に分配される。
第１出力端子２２から出力された放送信号は、復号部３に与えられる。制御部５は、Ｂ−ＣＡＳカードがＢ−ＣＡＳカード挿入部４に挿入されたことを検知した場合、Ｂ−ＣＡＳカードに格納されているＩＤ番号により認証を行い、格納された暗号鍵を用い、復号部３において復号する。復号された放送信号は、選局部６に与えられ、設定された放送チャンネルに選局されて映像音声信号に変換され、該映像音声信号が映像信号外部出力端子８に与えられる。そして、映像信号外部出力端子８からテレビ受像機へ映像音声信号が与えられて、映像音声が視聴される。
分配部２の第２出力端子２３から出力される放送信号は、放送信号外部出力端子９を介してテレビ受像機へ出力される。放送信号は、テレビ受像機の内部で信号処理され、得られた映像音声信号に基づく映像音声が視聴される。
副電源部１１は、主電源部１０のオン／オフ状態に関わらず、分配部２の電源端子２４に常時電源電圧を出力するようにしてある。
【００３５】
制御部５は、Ｂ−ＣＡＳカード挿入部４へのＢ−ＣＡＳカードの挿入の有無を示す挿入有無信号を挿入有無信号入力端子２５（図２参照）に出力するように構成されている。
分配部２は、ＭＣＵ２０１を備えており、ＭＣＵ２０１は、Ｂ−ＣＡＳカードが挿入されていないという情報を挿入有無信号入力端子２５から与えられた場合、放送信号が入力端子２１から第２出力端子２３へ与えられる分配回路を遮断する。すなわち、ＭＣＵ２０１は、ＳＴＢの認証が得られていない場合に、分配部２へ入力された放送信号を第２出力端子２３へ与える回路内の通電を遮断する手段として機能する。
【００３６】
ＭＣＵ２０１は、前記挿入有無信号に基づいて、Ｂ−ＣＡＳカード挿入部４へＢ−ＣＡＳカードが挿入されたか否かを判定する。
ＭＣＵ２０１は、Ｂ−ＣＡＳカード挿入部４へＢ−ＣＡＳカードが挿入されたと判定した場合、前記分配回路を入力端子２１及び第２出力端子２３に接続する。これにより、入力端子２１から第２出力端子２３へ放送信号が与えられ、テレビ受像機において映像音声が視聴できるようになる。また、第１出力端子２２から出力された放送信号は、Ｂ−ＣＡＳカードに基づき、復号部３及び選局部６により信号処理され、得られた映像音声データが映像信号外部出力端子８を介しテレビ受像機へ与えられ、テレビ受像機において映像音声が視聴できるようになる。
【００３７】
ＭＣＵ２０１が、Ｂ−ＣＡＳカード挿入部４へＢ−ＣＡＳカードが挿入されていないと判定した場合、前記分配回路を入力端子２１及び第２出力端子２３から開放する。従って、入力端子２１から第２出力端子２３へ放送信号を与えることができず、テレビ受像機に放送信号が与えられないことになる。
また、Ｂ−ＣＡＳカードがＢ−ＣＡＳカード挿入部４へ挿入されていないので、第１出力端子２２から出力された放送信号は復号できず、映像音声データをテレビ受像機へ出力することができない。
よって、Ｂ−ＣＡＳカードをＳＴＢのＢ−ＣＡＳカード挿入部４から抜くことにより、録画装置及びテレビ受像機の両方の装置において放送信号が処理されず、子供等の特定の人物を対象に容易に確実に視聴制限を行うことができる。
【００３８】
なお、前記実施の形態１乃至３においては、Ｂ−ＣＡＳカード挿入部４へＢ−ＣＡＳカードが挿入されて、録画装置の認証が行われる場合につき説明しているがこれに限定されるものではなく、他の識別カードにより録画装置の認証が行われるように構成してもよい。
また、放送信号処理装置として録画装置、又はＳＴＢを適用した場合につき説明しているがこれに限定されるものではなく、録音装置等、他の装置にも適用することが可能である。
【図面の簡単な説明】
【００３９】
【図１】本発明の実施の形態１に係る放送信号処理装置としての録画装置の内部構成を示すブロック図である。
【図２】本発明の実施の形態１に係る分配部の内部回路を示す回路図である。
【図３】本発明の実施の形態１に係るＭＣＵの処理手順を示すフローチャートである。
【図４】本発明の実施の形態２に係る録画装置の内部構成を示すブロック図である。
【図５】本発明の実施の形態３に係る放送信号処理装置としてのＳＴＢの内部構成を示すブロック図である。
【符号の説明】
【００４０】
１  放送信号入力部
２  分配部
３  復号部
４  Ｂ−ＣＡＳカード挿入部
５  制御部
６  選局部
７  録画部
８  映像信号外部出力端子
９  放送信号外部出力端子
１０  主電源部
１１  副電源部
２１  入力端子
２２  第１出力端子
２３  第２出力端子
２４  電源端子
２５  挿入有無信号入力端子
３１  電源部
２０１  ＭＣＵ
２０１ａ，２０１ｃ  入力端子
２０１ｂ  出力端子
２０２  分配器
ＡＭＰ  増幅器
Ｃ  コンデンサ
Ｄ  ダイオード
Ｒ１，Ｒ２，Ｒ３  抵抗
Ｔｒ  トランジスタ
【図１】
2010028673.tif 000003
【図２】
2010028673.tif 000004
【図３】
2010028673.tif 000005
【図４】
2010028673.tif 000006
【図５】
2010028673.tif 000007